(57)【要約】【課題】消費電力が低減された状態から定着手段に電力が供給されない状態へ復帰して結露判定のための環境を検出する。【解決手段】画像形成装置１は、画像形成装置を第一の状態、第二の状態および第三の状態に切り替える制御手段２２１を備え、第一の状態においては画像形成装置の各部に電力が供給され、第二の状態においては制御手段に電力が供給されるが、画像形成手段２、定着手段２０、温度検出手段２４６および結露判定手段２４１に電力が供給されず、第三の状態においては制御手段、温度検出手段および結露判定手段に電力が供給されるが、画像形成手段および定着手段に電力が供給されず、制御手段は、保存部２４８に保存された選択情報により結露判定を実行することが選択されている場合、画像形成装置を第二の状態から第三の状態へ復帰させ、結露判定手段は、電力供給を受けた温度検出手段から取得した温度に基づいて結露判定を実行する。【選択図】図４
2020024241.tif 000002
【特許請求の範囲】
【請求項１】
記録媒体に画像を形成する画像形成装置であって、
前記記録媒体にトナー像を形成する画像形成手段と、
前記記録媒体に形成された前記トナー像を定着する定着手段と、
前記画像形成装置の外部の温度を検出する温度検出手段と、
前記画像形成装置の内部に結露が生じているか否かの結露判定を実行する結露判定手段と、
前記画像形成装置の状態を第一の状態、第二の状態および第三の状態に切り替える制御手段と、
ユーザ指示に基づき設定された、前記結露判定を実行するか否かの選択情報を保存する保存部と、
を備え、
前記第一の状態においては、前記制御手段、前記画像形成手段、前記定着手段、前記温度検出手段および前記結露判定手段に電力が供給され、
前記第二の状態においては、前記制御手段に電力が供給されるが、前記画像形成手段、前記定着手段、前記温度検出手段および前記結露判定手段に電力が供給されず、
前記第三の状態においては、前記制御手段、前記温度検出手段および前記結露判定手段に電力が供給されるが、前記画像形成手段および前記定着手段に電力が供給されず、前記制御手段は、前記保存部に保存された前記選択情報により前記結露判定を実行することが選択されていると判定した場合、前記画像形成装置の状態を前記第二の状態から前記第三の状態へ復帰させ、
前記結露判定手段は、前記第二の状態から前記第三の状態に復帰したことにより電力供給を受けた前記温度検出手段から取得した検出情報に基づいて前記結露判定を実行することを特徴とする画像形成装置。
【請求項２】
前記画像形成装置の状態を前記第二の状態から前記第一の状態へ復帰させる第一の復帰方法または前記画像形成装置の状態を前記第二の状態から前記第三の状態へ復帰させる第二の復帰方法を選択する復帰方法選択手段を更に備え、
前記制御手段は、前記保存部に保存された前記選択情報により前記結露判定を実行することが選択されていると判定した場合、前記復帰方法選択手段の選択結果にかかわらず前記第二の復帰方法で前記画像形成装置の状態を前記第二の状態から前記第三の状態へ復帰させて前記温度検出手段に前記画像形成装置の前記温度を検出させることを特徴とする請求項１に記載の画像形成装置。
【請求項３】
前記定着手段への電力の供給及び遮断を切り替えるリレーを更に備え、
前記第一の復帰方法において、前記制御手段は、前記定着手段へ電力を供給するために前記リレーをＯＮし、前記画像形成装置の状態を前記第二の状態から前記第一の状態へ復帰させ、
前記第二の復帰方法において、前記制御手段は、前記定着手段への電力の遮断を維持するために前記リレーをＯＦＦに維持し、前記画像形成装置の状態を前記第二の状態から前記第三の状態へ復帰させることを特徴とする請求項２に記載の画像形成装置。
【請求項４】
前記第一の復帰方法において、前記制御手段は、前記画像形成装置が正常状態にあることを確認するために前記画像形成手段に電力を供給して前記画像形成手段を駆動させ、前記画像形成装置の状態を前記第二の状態から前記第一の状態へ復帰させ、
前記第二の復帰方法において、前記制御手段は、前記画像形成手段を駆動させずに前記画像形成装置の状態を前記第二の状態から前記第三の状態へ復帰させることを特徴とする請求項２又は３に記載の画像形成装置。
【請求項５】
原稿の画像を読み取る読取手段を更に備え、
前記第一の状態において、前記制御手段が印刷指示を受けたら即座に前記画像形成手段によって印刷動作を開始し、前記制御手段が読取指示を受けたら即座に前記読取手段によって読取動作を開始し、
前記第三の状態において、前記制御手段が前記印刷指示を受けたら前記画像形成装置が前記正常状態にあることを確認するために前記画像形成手段に電力を供給して前記画像形成手段を駆動させ、その後、前記画像形成手段によって前記印刷動作を開始し、前記制御手段が前記読取指示を受けたら即座に前記読取手段によって前記読取動作を開始することを特徴とする請求項４に記載の画像形成装置。
【請求項６】
ユーザによって操作される操作部と、
画像データを処理する画像処理部と、
を更に備え、
前記制御手段は、前記第一の状態においては前記操作部および前記画像処理部へ電力を供給し、前記第二の状態においては前記操作部および前記画像処理部へ電力を供給せず、前記第三の状態においては前記操作部および前記画像処理部への電力の供給を低減することを特徴とする請求項１乃至５のいずれか一項に記載の画像形成装置。
【請求項７】
前記画像形成装置の外部の湿度を検出する湿度検出手段を更に備え、
前記結露判定手段は、前記温度検出手段から取得した検出情報および前記湿度検出手段から取得した検出情報に基づいて前記結露判定を実行することを特徴とする請求項１乃至６のいずれか一項に記載の画像形成装置。
【発明の詳細な説明】
【技術分野】
【０００１】
本発明は、結露を判定する画像形成装置に関する。
【背景技術】
【０００２】
従来、冬場の朝のように冷え切った部屋に設置された画像形成装置は、暖房器具等により部屋の温度が急激に上昇すると、機内温度と機外温度との差が大きくなり、機内に結露が生じ、画像不良が発生するという問題がある。そこで、特許文献１は、メイン制御部とサブ制御部を備え、省電力モード（スリープモード）中にサブ制御部が繰り返し機外温度を検出することを開示している。機外温度の変化量が所定範囲を超えた場合に省電力モードから通常モードへ切り替えられたときに、画像形成動作に先立って各部品のなじみを良くしたり装置の特性を所定の状態で安定させたりするように所定時間動作させるエージング動作を実行する。
【先行技術文献】
【特許文献】
【０００３】
【特許文献１】特許第５０９６９９５号公報
【発明の概要】
【発明が解決しようとする課題】
【０００４】
画像形成装置の省電力化のために、省電力状態（スリープ状態）における消費電力の更なる削減が求められている。一方、結露が生じやすい環境で使用される画像形成装置に対しては、結露対策を行うことが求められる。
【０００５】
そこで、本発明は、消費電力が低減された状態から定着手段に電力が供給されない状態へ復帰して結露判定のための環境を検出する画像形成装置を提供する。
【課題を解決するための手段】
【０００６】
上記課題を達成するために、本発明の一実施例による記録媒体に画像を形成する画像形成装置は、
前記記録媒体にトナー像を形成する画像形成手段と、
前記記録媒体に形成された前記トナー像を定着する定着手段と、
前記画像形成装置の外部の温度を検出する温度検出手段と、
前記画像形成装置の内部に結露が生じているか否かの結露判定を実行する結露判定手段と、
前記画像形成装置の状態を第一の状態、第二の状態および第三の状態に切り替える制御手段と、
ユーザ指示に基づき設定された、前記結露判定を実行するか否かの選択情報を保存する保存部と、
を備え、
前記第一の状態においては、前記制御手段、前記画像形成手段、前記定着手段、前記温度検出手段および前記結露判定手段に電力が供給され、
前記第二の状態においては、前記制御手段に電力が供給されるが、前記画像形成手段、前記定着手段、前記温度検出手段および前記結露判定手段に電力が供給されず、
前記第三の状態においては、前記制御手段、前記温度検出手段および前記結露判定手段に電力が供給されるが、前記画像形成手段および前記定着手段に電力が供給されず、
前記制御手段は、前記保存部に保存された前記選択情報により前記結露判定を実行することが選択されていると判定した場合、前記画像形成装置の状態を前記第二の状態から前記第三の状態へ復帰させ、
前記結露判定手段は、前記第二の状態から前記第三の状態に復帰したことにより電力供給を受けた前記温度検出手段から取得した検出情報に基づいて前記結露判定を実行することを特徴とする。
【発明の効果】
【０００７】
本発明によれば、消費電力が低減された状態から定着手段に電力が供給されない状態へ復帰して結露判定のための環境を検出することができる。
【図面の簡単な説明】
【０００８】
【図１】画像形成装置の断面図。
【図２】画像形成装置の電気ブロック図。
【図３】画像形成装置の状態遷移図。
【図４】省電力状態からの復帰方法の表を示す図。
【図５】ＣＰＵによって実行される画像形成装置の復帰動作を示す流れ図。
【発明を実施するための形態】
【０００９】
（画像形成装置）
図１は、画像形成装置１の断面図である。図１を用いて、画像形成装置１の動作を説明する。本実施例による画像形成装置１は、プリンタ部２、読取部２５１及びファクシミリ部（以下、ＦＡＸ部という）２３７を有する複合機（ＭＦＰ）である。なお、画像形成装置１は、読取部２５１又はＦＡＸ部２３７を有していなくてもよい。また、画像形成装置１は、電子写真方式を用いてモノクロ画像を形成するものに限らずカラー画像を形成するカラー画像形成装置であってもよい。画像形成装置１は、カセット１１、給送ローラ１２、搬送ローラ１３、感光体１４、帯電部１５、現像部１６、転写部１７及びレーザスキャナユニット１９を有する。カセット１１は、記録媒体（以下、記録材という）１０を収容する。記録材１０には、普通紙及び厚紙等の紙の他、コート紙等の特殊紙、オーバーヘッドプロジェクタ用のプラスチックフィルム及び布などの任意の材料からなるもの並びに封筒及びインデックスシートなどの任意の形状を有するものが含まれる。給送ローラ１２は、カセット１１に収容された記録材１０を給送する。給送ローラ１２によって給送された記録材１０は、搬送ローラ１３によって感光体１４へ搬送される。
【００１０】
帯電部１５は、感光体１４の表面を均一に帯電する。レーザスキャナユニット１９は、均一に帯電された感光体１４の表面へ画像データに従って変調されたレーザ光を出射し、感光体１４の表面上に潜像を形成する。感光体１４の表面上に形成された潜像は、現像部１６によってトナーで現像され、トナー像にされる。感光体１４上のトナー像は、転写部１７によって記録材１０へ転写される。トナー像が転写された記録材１０は、定着手段としての定着部２０へ搬送される。定着部２０は、ヒータ４０を有する。記録材１０は、定着部２０によって加熱及び加圧され、トナー像が記録材１０に定着される。画像が形成された記録材１０は、排出部２１によって積載部３０へ排出される。
【００１１】
片面印刷の場合、定着部２０によってトナー像が片面に定着された記録材１０は、排出部２１によって積載部３０へ排出される。両面印刷の場合、記録材１０は、排出部２１によって反転され、搬送路切替フラッパー２２によって搬送路が切り替えられ、搬送路２３へ搬送される。記録材１０は、搬送ローラ２４及び２５によって搬送ローラ１３へ戻される。２面目への画像の形成は、１面目への画像の形成と同様にプロセスで行われる。両面に画像が形成された記録材１０は、排出部２１によって積載部３０へ排出される。
【００１２】
ユーザは、操作部２３３を介して画像形成装置１の動作を選択したりモードを設定したりできる。読取部２５１は、フラットベッド２５２と、自動原稿給送装置（以下、ＡＤＦという）２５３とを有する。ＡＤＦ２５３には、原稿が積載される原稿トレイ２５４が設けられている。ＡＤＦ２５３は原稿トレイ２５４から原稿を読取部２５１へ給送し、読取部２５１はＡＤＦ２５３によって給送される原稿の画像を読み取る。また、ユーザによってフラットベッド２５２上に原稿がセットされた場合、読取部２５１は、フラットベッド２５２上にセットされた原稿の画像を読み取る。
【００１３】
図２は、画像形成装置１の電気ブロック図である。画像形成装置１は、システムコントロール部２２０及びプリンタ部２を有する。画像形成装置１は、外部ＰＣ３に電気的に接続されている。画像形成装置１は、外部ＰＣ３から印刷ジョブを受信すると、画像形成手段としてのプリンタ部２によって記録材１０に画像を形成する。システムコントロール部２２０は、画像形成装置１の全体を制御する。システムコントロール部２２０は、外部インターフェース（以下、インターフェースをＩＦという）２２３、ＣＰＵ２２１、メモリ２２２、画像処理部２３０、画像メモリ２３１、操作部ＩＦ２３２及びプリンタＩＦ２２６を有する。システムコントロール部２２０は、更に、復帰方法選択部２２７、読取部ＩＦ２５０及びファクシミリ部ＩＦ（以下、ＦＡＸ ＩＦという）２３６を有する。外部ＰＣ３から画像形成装置１へ入力された印刷ジョブは、外部ＩＦ２２３を経由してメモリ２２２に保存される。ＣＰＵ２２１は、メモリ２２２に保存された印刷ジョブから印刷情報、例えば、片面印刷、両面印刷などの印刷条件を取得する。印刷ジョブに含まれる画像データは、画像処理部２３０を経由し、画像メモリ２３１に保存される。ＦＡＸ ＩＦ２３６は、ＦＡＸ部２３７に電気的に接続されている。
【００１４】
プリンタ部２は、印刷に必要な処理を行う。プリンタ部２は、ＣＰＵ２４１、駆動制御部２４２、レーザ制御部２４３、高圧制御部２４４、メモリ２４５、温度検出部２４６、結露判定選択部２４８、結露判定部２４９、電源制御部２４７、電源部２６０、定着制御部２７０及び定着部２０を有する。画像形成装置１の外部の温度を検出する温度検出手段としての温度検出部２４６は、画像形成装置１の周囲の温度を検出する。システムコントロール部２２０は、プリンタＩＦ２２６を経由してプリンタ部２へ印刷指示を出力する。プリンタ部２は、システムコントロール部２２０からの印刷指示に基づいて印刷動作を行う。
【００１５】
駆動制御部２４２は、記録材１０を給送するための給送ローラ１２の駆動、搬送ローラ１３、２４、２５の駆動、排出部２１の駆動、感光体１４、帯電部１５、現像部１６、転写部１７の駆動を行う。レーザ制御部２４３は、レーザ光を出射するレーザスキャナユニット１９を制御する。高圧制御部２４４は、帯電部１５、現像部１６及び転写部１７へ印加される高電圧をそれぞれ制御する。定着制御部２７０は、定着部２０の温度を制御する。電源部２６０は、ＡＣが入力されてＤＣを出力する電源回路２６１を有する。電源制御部２４７は、電源回路２６１を制御してＤＣ出力を制御する。また、プリンタ部２へ入力されたＡＣは、電源部２６０を経由して定着制御部２７０へ入力される。定着制御部２７０に設けられたリレー２７１は、定着部２０のヒータ４０への電力の供給及び遮断を切り替える。リレー２７１がＯＮされると、定着制御部２７０は、定着部２０のヒータ４０へＡＣ電力を供給する。
【００１６】
ユーザは、結露判定を「実行する」か「実行しない」かを、結露判定選択部２４８によって選択する。ユーザ指示に基づき設定された、結露判定を「実行する」か「実行しない」かの選択結果（選択情報）は、保存部としての結露判定選択部２４８に保存される。結露判定手段としてのＣＰＵ２４１の結露判定部２４９は、温度検出部２４６による検出結果（検出情報）に基づいて画像形成装置１の内部に結露が生じているか否かの結露判定を実行する。例えば、結露判定を実行する場合、結露判定部２４９は、温度検出部２４６によって検出された温度を所定時間間隔で読み取る。温度変化が所定温度以上である場合、結露判定部２４９は、結露が生じていると判定する。結露が生じていると判定された場合、結露対策として公知の技術を用いて結露対策を行う。結露対策として、例えば、駆動制御部２４２に接続されているモータ等の駆動部を駆動し、画像形成装置１の内部を温めるために暖気運転する。あるいは、ＦＡＸ部２３７がファクシミリを受信している場合、受信したファクシミリの内容を一時的にメモリ２２２に保存する処理を行う。あるいは、画像形成装置１の内部における結露の発生に起因する各部の動作不良を防止又は解消するためにエージング動作を実行してもよい。結露判定を実行することが選択されることによって、画像形成装置１の内部に生じる結露によって画像不良が発生することを防ぐことができる。
【００１７】
結露判定を実行しない場合、結露判定部２４９は、温度検出部２４６によって検出される温度を所定時間間隔で読み取らず、結露判定も行わない。温度が急激に上昇したりせず、機内温度と機外温度との差が大きくならない環境では、結露判定を実行しないことを選択することによって、温度検出を行うために画像形成装置１を復帰する必要が無く、省エネとなる。
【００１８】
図３は、画像形成装置１の状態遷移図である。図３を用いて、画像形成装置１の状態遷移を説明する。特に省電力状態（Ｓ１２０）（スリープ状態）からの復帰方法に関して説明する。電源ＯＦＦ状態（Ｓ１０１）で電源スイッチ（以下、電源ＳＷという）がＯＮされると、画像形成装置１の状態は、電源ＯＦＦ状態（Ｓ１０１）から前回転（Ｓ１１１）を経由してスタンバイ（Ｓ１１２）へ遷移する。ここで、前回転（Ｓ１１１）とは、駆動制御部２４２によって各駆動部を駆動し、画像形成装置１が正常状態にあることを確認する動作のことである。スタンバイ（第一の状態）は、操作部２３３又は外部ＰＣ３からの印刷指示又は読取指示を受けたら即座に印刷動作又は読取動作を開始できるように画像形成装置１のシステムコントロール部２２０及びプリンタ部２の各部に電力が供給された動作状態である。スタンバイ（Ｓ１１２）において印刷ジョブ又は読取ジョブの指示を受けると、スタンバイ（Ｓ１１２）から印刷動作又は読取動作（Ｓ１１３）へ遷移する。印刷動作又は読取動作（Ｓ１１３）が終了すると、スタンバイ（Ｓ１１２）へ遷移する。スタンバイ（Ｓ１１２）で、例えば、所定の時間が経過すると、画像形成装置１の状態は、スタンバイ（Ｓ１１２）から省電力状態（Ｓ１２０）（スリープ状態）へ遷移する。省電力状態（第二の状態）は、画像形成装置１のシステムコントロール部２２０の一部に電力が供給され、プリンタ部２へ電力が供給されず、消費電力が抑制された状態である。省電力状態（第二の状態）ではプリンタ部２へ電力が供給されないので、温度検出部２４６によって画像形成装置１の周囲の温度を検出することができない。制御手段としてのＣＰＵ２２１は、スタンバイ（第一の状態）と省電力状態（第二の状態）とを切り替える。
【００１９】
通常復帰方法の場合、省電力状態（Ｓ１２０）（スリープ状態）から通常復帰（Ｓ１１４）へ遷移し、前回転（Ｓ１１１）を行い、スタンバイ（Ｓ１１２）へ遷移する。すなわち、通常復帰方法（第一の復帰方法）の場合、ＣＰＵ２２１は、画像形成装置１の状態を省電力状態（第二の状態）から通常復帰（Ｓ１１４）及び前回転（Ｓ１１１）を経由してスタンバイ（第一の状態）へ復帰させる。省電力復帰方法の場合、省電力状態（Ｓ１２０）（スリープ状態）から省電力復帰（Ｓ１１５）へ遷移し、前回転（Ｓ１１１）を行なわない。すなわち、省電力復帰方法（第二の復帰方法）の場合、ＣＰＵ２２１は、画像形成装置１の状態を省電力状態（第二の状態）から前回転（Ｓ１１１）を行なわずに省電力復帰（第三の状態）へ復帰させる。省電力復帰（第三の状態）は、画像形成装置１のシステムコントロール部２２０の一部に電力が供給され、プリンタ部２の一部へ電力が供給されるが、スタンバイ（第一の状態）より消費電力が抑制された状態である。省電力復帰方法（第二の復帰方法）において、ＣＰＵ２２１は、定着部２０のヒータ４０への電力の遮断を維持するためにリレー２７１をＯＦＦに維持し、画像形成装置１の状態を省電力状態（第二の状態）から省電力復帰（第三の状態）へ復帰させる。
【００２０】
省電力復帰（第三の状態）では、プリンタ部２のＣＰＵ２４１、温度検出部２４６及び結露判定部２４９に電力が供給される。電力供給を受けた温度検出部２４６によって画像形成装置１の周囲の温度を検出して結露判定部２４９によって結露判定を実行することが可能である。省電力復帰（Ｓ１１５）で印刷ジョブが入力されると、前回転（Ｓ１１１）を行い、スタンバイ（Ｓ１１２）となり、その直後に印刷動作（Ｓ１１３）へ遷移する。省電力復帰（Ｓ１１５）で読取ジョブが入力されると、前回転（Ｓ１１１）は行わず、読取動作（Ｓ１１３）を行い、読取動作終了後、省電力復帰（Ｓ１１５）へ遷移する。省電力復帰（Ｓ１１５）で、例えば、復帰要因が無いまま所定の時間が経過すると、画像形成装置１の状態は、省電力復帰（Ｓ１１５）から省電力状態（Ｓ１２０）（スリープ状態）へ遷移する。省電力状態（Ｓ１２０）（スリープ状態）で電源ＳＷがＯＦＦされると、画像形成装置１の状態は、省電力状態（Ｓ１２０）（スリープ状態）から電源ＯＦＦ状態（Ｓ１０１）へ遷移する。
【００２１】
図４は、省電力状態からの復帰方法の表を示す図である。ユーザは、「結露判定の選択」及び「復帰方法の選択」を行うことができる。「結露判定の選択」で、ユーザは、「実行する」又は「実行しない」を選択可能である。また、「復帰方法の選択」で、ユーザは、「省電力復帰」又は「通常復帰」を選択可能である。「結露判定の選択」で「実行しない」が選択され、「復帰方法の選択」で「省電力復帰」が選択された場合、省電力復帰（前回転しない）が行われる（図４の＜Ａ＞）。「結露判定の選択」で「実行しない」が選択され、「復帰方法の選択」で「通常復帰」が選択された場合、温度検出を行わずに通常復帰（前回転する）が行われる（図４の＜Ｂ＞）。「結露判定の選択」で「実行する」が選択され、「復帰方法の選択」で「省電力復帰」が選択された場合、省電力復帰（前回転しない）が行われる（図４の＜Ｃ＞）。「結露判定の選択」で「実行する」が選択され、「復帰方法の選択」で「通常復帰」が選択された場合、温度検出時以外では通常復帰（前回転する）が行われる（図４の＜Ｄ＞）。「結露判定の選択」で「実行する」が選択され、「復帰方法の選択」で「通常復帰」が選択された場合、温度検出時では省電力復帰（前回転しない）が行われる（図４の＜Ｅ＞）。
【００２２】
通常復帰方法と省電力復帰方法の違いを説明する。通常復帰方法は、電力が比較的大きい復帰方法で、例えば、定着部２０のヒータ４０へ電力を供給するために定着制御部２７０に設けられたリレー２７１をＯＮし、前回転を行う。省電力復帰方法は、電力が比較的少ない復帰方法で、例えば、定着制御部２７０に設けられたリレー２７１をＯＮせず、前回転を行わない。
【００２３】
省電力復帰方法を選択する場合、例えば、主に使用する動作が読取動作のみの場合、プリンタ部２の前回転を行わないので、静かに処理でき、電力を消費しない。しかし、復帰後の動作として印刷ジョブが入力された場合、印刷ジョブが入力されてから定着制御部２７０のリレー２７１をＯＮし、前回転を行う。従って、印刷ジョブが入力されてから画像が形成された１枚目の記録材１０が出力されるまでの時間（Ｆｉｒｓｔ Ｐｒｉｎｔ Ｏｕｔ Ｔｉｍｅ、以下、ＦＰＯＴという）が長くなる。一方、通常復帰方法を選択する場合、定着制御部２７０に設けられたリレー２７１をＯＮし、前回転を行うので、復帰毎に駆動音が発生し、電力を消費する。しかし、復帰毎にリレー２７１をＯＮし、前回転を行うので、ＦＰＯＴが短くなる。
【００２４】
ユーザは、操作部２３３からの操作で、復帰方法選択手段としての復帰方法選択部２２７に対して復帰方法を選択する。復帰方法選択部２２７は、例えば、メモリであり、ビットを設定することで決定される。復帰方法選択部２２７は、プログラムで代用してもよい。
【００２５】
以下、図５を参照して、通常復帰と省電力復帰の選択に関して説明する。図５は、ＣＰＵ２２１によって実行される画像形成装置１の復帰動作を示す流れ図である。ＣＰＵ２２１は、メモリ２２２に保存されたプログラムに従って画像形成装置１の復帰動作を実行する。画像形成装置１の電源ＯＦＦ状態において電源がＯＮされると、画像形成装置１の復帰動作が開始される。画像形成装置１は、前回転を実行する。画像形成装置１の状態は、電源ＯＦＦ状態から前回転を経由してスタンバイへ遷移する。ユーザは、操作部２３３を介して結露判定を「実行する」か「実行しない」か、を選択する。ＣＰＵ２２１は、プリンタＩＦ２２６及びＣＰＵ２４１を介して結露判定を「実行する」か「実行しない」かの選択結果を結露判定選択部２４８に保存する（Ｓ２０１）。ユーザは、操作部２３３を介して復帰方法を通常復帰方法又は省電力復帰方法に選択する。ＣＰＵ２２１は、復帰方法の選択結果を復帰方法選択部２２７に保存する（Ｓ２０２）。なお、ＦＰＯＴを短くするために、復帰方法の選択結果の初期値として通常復帰方法が復帰方法選択部２２７に設定されている。
【００２６】
ＣＰＵ２２１は、ジョブがあるか否かを判断する（Ｓ２０３）。画像形成装置１の状態がスタンバイであるときにジョブが有る場合（Ｓ２０３でＹＥＳ）、ＣＰＵ２２１は、ジョブ内容に従って動作を実行する（Ｓ２１２）。ジョブ内容が読取ジョブである場合、ＣＰＵ２２１は、読取部ＩＦ２５０を介して読取手段としての読取部２５１によって原稿の画像を読み取る読取動作を実行する。ジョブ内容が印刷ジョブである場合、ＣＰＵ２２１は、プリンタＩＦを介してプリンタ部２のＣＰＵ２４１へ印刷指示を出力する。ＣＰＵ２４１は、印刷指示を受けると、メモリ２４５に保存されたプログラムに従って印刷動作を実行する。ＣＰＵ２２１は、画像形成装置１の復帰動作を終了する。
【００２７】
画像形成装置１の状態がスタンバイであるときに所定時間内にジョブが無い場合（Ｓ２０３でＮＯ）、ＣＰＵ２２１は、画像形成装置１の状態をスタンバイから省電力状態へ遷移する（Ｓ２０４）。ＣＰＵ２２１は、結露判定選択部２４８に保存された選択結果に基づいて結露判定を実行するか否かを判断する（Ｓ２０５）。結露判定を実行しない場合（Ｓ２０５でＮＯ）、ＣＰＵ２２１は、復帰要因があるか否かを判断する（Ｓ２０９）。ここで、復帰要因は、ユーザによる操作部２３３の操作、印刷ジョブの入力又は読取ジョブの入力である。復帰要因がない場合（Ｓ２０９でＮＯ）、ＣＰＵ２２１は、処理をＳ２０５へ戻す。ＣＰＵ２２１は、画像形成装置１の状態を復帰せずに省電力状態のままで復帰要因を待機する。
【００２８】
復帰要因が有る場合（Ｓ２０９でＹＥＳ）、ＣＰＵ２２１は、復帰方法選択部２２７に保存された選択結果に基づいて画像形成装置１の状態を省電力状態からスタンバイ又は省電力復帰へ復帰させる（Ｓ２１０）。ここでは、結露判定を実行しない場合（Ｓ２０５でＮＯ）であるので、例えば、復帰方法の選択結果が省電力復帰であるときは、前回転が実行されずに画像形成装置１の状態が省電力状態から省電力復帰へ復帰される（図４の＜Ａ＞）。復帰方法の選択結果が通常復帰であるときは、前回転が実行され、画像形成装置１の状態が省電力状態からスタンバイへ復帰される（図４の＜Ｂ＞）。ＣＰＵ２２１は、ジョブがあるか否かを判断する（Ｓ２１１）。ジョブが有る場合（Ｓ２１１でＹＥＳ）、ＣＰＵ２２１は、ジョブ内容に従って動作を実行する（Ｓ２１２）。例えば、画像形成装置１の状態が省電力復帰である場合に印刷ジョブが有るときは、前回転を実行し、その後、スタンバイを経由して印刷動作を実行する。ＣＰＵ２２１は、画像形成装置１の復帰動作を終了する。所定時間内にジョブが無い場合（Ｓ２１１でＮＯ）、ＣＰＵ２２１は、処理をＳ２０４へ戻し、画像形成装置１の状態をスタンバイ又は省電力復帰から省電力状態へ遷移する（Ｓ２０４）。
【００２９】
結露判定を実行する場合（Ｓ２０５でＹＥＳ）、ＣＰＵ２２１は、温度検出部２４６によって温度を検出する温度検出時であるか否かを判断する（Ｓ２０６）。温度検出時ではない場合（Ｓ２０６でＮＯ）、ＣＰＵ２２１は、処理をＳ２０９へ進める。復帰要因を待機し（Ｓ２０９でＮＯ）、復帰要因がある場合（Ｓ２０９でＹＥＳ）、選択された復帰方法で復帰する（Ｓ２１０）。ここでは、結露判定を実行する場合（Ｓ２０５でＹＥＳ）であるので、例えば、復帰方法の選択結果が省電力復帰であるときは、前回転が実行されずに画像形成装置１の状態が省電力状態から省電力復帰へ復帰される（図４の＜Ｃ＞）。復帰方法の選択結果が通常復帰であるときは、前回転が実行され、画像形成装置１の状態が省電力状態からスタンバイへ復帰される（図４の＜Ｄ＞）。ＣＰＵ２２１は、ジョブがあるか否かを判断し（Ｓ２１１）、ジョブが有る場合（Ｓ２１１でＹＥＳ）、ＣＰＵ２２１は、ジョブ内容に従って動作を実行する（Ｓ２１２）。ＣＰＵ２２１は、画像形成装置１の復帰動作を終了する。所定時間内にジョブが無い場合（Ｓ２１１でＮＯ）、ＣＰＵ２２１は、処理をＳ２０４へ戻す。
【００３０】
温度検出時である場合（Ｓ２０６でＹＥＳ）、ＣＰＵ２２１は、省電力復帰方法で画像形成装置１を復帰する（Ｓ２０７）（図４の＜Ｅ＞）。すなわち、ＣＰＵ２２１は、前回転を実行せずに画像形成装置１の状態を省電力状態から省電力復帰へ復帰させる。ＣＰＵ２２１は、省電力復帰で温度検出部２４６に温度を検出させる（Ｓ２０８）。ＣＰＵ２２１は、処理をＳ２０４へ戻し、画像形成装置１の状態を省電力復帰から省電力状態へ遷移する（Ｓ２０４）。
【００３１】
以上説明したように、本実施例によれば、温度検出時に省電力復帰方法で画像形成装置１の状態を省電力状態から省電力復帰へ遷移させる。省電力復帰で温度検出部２４６に温度を検出させるので、スタンバイで温度を検出する場合と比べて画像形成装置１の消費電力を低減させることができる。また、温度検出時にヒータ４０へ電力を供給するためのリレー２７１をＯＮさせる必要が無いので、リレー２７１の寿命を消費せずに結露判定を実行することができる。
【００３２】
本実施例の省電力復帰の状態においては、操作部２３３並びにシステムコントロール部２２０の少なくともＣＰＵ２２１及び画像処理部２３０に電力が供給される。しかし、本実施例は、これに限定されるものではなく、省電力復帰の状態において、操作部２３３及び画像処理部２３０へ供給される電力を低減することによって、更に、画像形成装置１の消費電力を低減してもよい。本実施例では、温度検出部２４６から取得した温度（検出情報）に基づいて結露判定を実行する。しかし、画像形成装置１の外部の湿度を検出する湿度検出手段を設け、温度検出部２４６から取得した温度（検出情報）及び湿度検出手段から取得した湿度（検出情報）に基づいて結露判定を実行してもよい。
【００３３】
本実施例によれば、消費電力が低減された状態（第二の状態）から定着手段に電力が供給されない状態（第三の状態）へ復帰して結露判定のための環境を検出することができる。
【符号の説明】
【００３４】
１・・・画像形成装置
２・・・プリンタ部（画像形成手段）
１０・・・記録材（記録媒体）
２０・・・定着部（定着手段）
２２１・・・ＣＰＵ（制御手段）
２４１・・・ＣＰＵ（結露判定手段）
２４６・・・温度検出部（温度検出手段）
２４８・・・結露判定選択部（保存部）
【図１】
2020024241.tif 000003
【図２】
2020024241.tif 000004
【図３】
2020024241.tif 000005
【図４】
2020024241.tif 000006
【図５】
2020024241.tif 000007